(57)【要約】【課題】プレゼンテーション時、タッチパッド部分を触ると表示スクリーン上のスライドの予め選ばれた部分が強調表示されるタッチパッドを持つリモートコントロールを提供する。【解決手段】スライド表示方法及びシステムは、一時に１つのスライドを表示する表示スクリーン（２６、２８、３０、３４）と操作者がスライドの予め選択された部分に強調表示を関連付けできるソフトウェア・プログラムを含む。リモートコントロール（１２）は、タッチパッド部分をスライドの予め選択された部分にマッピングするため表示スクリーンとソフトウェア・プログラムと共に動作可能なタッチパッド（３６）を含む。タッチパッドは、スライドの予め選択された部分に対応するタッチパッド部分が触られると応答して表示スクリーン上に表示されるスライドの予め選択された部分を強調表示するため表示スクリーンと共にさらに動作可能である。【選択図】図１
2004534300.tif 000002
【特許請求の範囲】
【請求項１】
スライドを表示するためのシステムであって、
スライドを表示することができる表示スクリーンと、
スライドの予め選択された部分のそれぞれにマップされたタッチパッド部分を有し、スライドの予め選択された部分に対応するタッチパッド部分が触られることに応答してスライドの予め選択された部分を強調表示するように表示スクリーンと共に動作可能であるタッチパッドと、を含むシステム。
【請求項２】
表示スクリーンが、家庭娯楽（ＨＥ）装置の表示スクリーンである請求項１に記載のシステム。
【請求項３】
表示スクリーンが、テレビジョンの表示スクリーンである請求項１に記載のシステム。
【請求項４】
表示スクリーンが、コンピュータの表示スクリーンである請求項１に記載のシステム。
【請求項５】
表示スクリーンが、スライド投影機の表示スクリーンである請求項１に記載のシステム。
【請求項６】
表示スクリーンが、ビデオ映写機の表示スクリーンである請求項１に記載のシステム。
【請求項７】
表示スクリーンが、通信装置の表示スクリーンである請求項１に記載のシステム。
【請求項８】
通信装置が、セルラー電話機である請求項７に記載のシステム。
【請求項９】
通信装置が、パーソナル・デジタル・アシスタントである請求項７に記載のシステム。
【請求項１０】
表示スクリーンが、ビデオレコード装置の表示スクリーンである請求項１に記載のシステム。
【請求項１１】
ビデオレコード装置が、カメラである請求項１０に記載のシステム。
【請求項１２】
ビデオレコード装置が、パーソナルビデオレコーダである請求項１０に記載のシステム。
【請求項１３】
タッチパッドが、表示スクリーンと遠隔的に操作可能である請求項１に記載のシステム。
【請求項１４】
タッチパッドが、リモートコントロールのタッチパッドである請求項１３に記載のシステム。
【請求項１５】
スライドの予め選択された部分が、操作者により予め選択される請求項１に記載のシステム。
【請求項１６】
スライドを表示するためのシステムであって、
操作者が強調表示をスライドの予め選択された部分と関連付けることを可能にする関連付け手段と、
スライドを一時に１つ表示することができる表示スクリーンと、
表示スクリーン上に表示されたスライドの予め選択された部分にタッチパッド部分をマップするために関連付け手段及び表示スクリーンと共に動作可能であり、スライドの予め選択された部分に対応するタッチパッド部分が触られることに応答して表示スクリーン上に表示されているスライドの予め選択された部分を強調表示するために表示スクリーンと共にさらに動作可能であるタッチパッドと、を含むシステム。
【請求項１７】
タッチパッドが、表示スクリーン上に表示されているスライドの予め選択された部分を強調表示するために表示スクリーンと共に遠隔的に動作可能である請求項１６に記載のシステム。
【請求項１８】
タッチパッドを持つリモートコントロールを用いてスライドを表示する方法であって、
強調表示のためにスライドの部分を予め選択し、
スライドの予め選択された部分に強調表示を関連付けし、
タッチパッド部分をスライドの予め選択された部分にマッピングし、
表示スクリーン上にスライドを表示し、
スライドの予め定められた部分に対応したタッチパッド部分が触られることに応答してスライドの予め選択された部分を強調表示する、ことを含む方法。
【請求項１９】
強調表示のためにスライドの部分を予め選択することが、強調表示のために少なくとも２つのスライドの部分を予め選択することを含み、
スライドの予め選択された部分に強調表示を関連付けすることが、少なくとも２つのスライドの予め選択された部分に強調表示を関連付けすることを含み、
タッチパッド部分をスライドの予め選択された部分にマッピングすることが、タッチパッド部分を少なくとも２つのスライドの予め選択された部分にマッピングすることを含み、
表示スクリーン上にスライドを表示することが、表示スクリーン上に少なくとも２つのスライドを一時に１つ表示することを含む請求項１８に記載の方法。
【請求項２０】
スライドを表示する表示スクリーンを制御するためのリモートコントロールであって、
表示スクリーンに表示されているスライドの予め選択された部分に位置感知装置部分をマッピングすることができ、スライドの予め選択された部分に対応する位置感知装置部分が触られることに応答して表示スクリーン上に表示されているスライドの予め選択された部分を強調表示することができる位置感知装置を含むリモートコントロール。
【請求項２１】
位置感知装置が、タッチパッドである請求項２０に記載のリモートコントロール。
【発明の詳細な説明】
【技術分野】
【０００１】
本発明は、一般に、リモートコントロールに関し、より詳細には、表示スクリーン上に表示されたスライドの予め選択された部分を強調表示するためにパッド対スクリーンマッピングモードで動作可能なタッチパッドを備えたリモートコントロールに関する。
【背景技術】
【０００２】
家庭娯楽装置（ＨＥ）、コンピュータ、通信機、ビデオ記録器、プレンゼンテーション装置、及びその他の装置は、スライド、イメージ、画像等を表示するために表示スクリーンを含む。このようなＨＥはテレビジョンを含む。このような通信機装置は手で持つセルラー電話機及びパーソナル・デジタル・アシスタントを含む。このようなビデオ記録器はデジタルカメラ及びパーソナルビデオレコーダーを含む。このようなプレゼンテーション装置はスライド投影機を含む。
【０００３】
操作者は装置を遠隔制御するためにリモートコントロールを使用できる。操作者はしばしば装置を制御するためにリモートコントロールを装置の表示スクリーンと一緒に使用する。例えば、表示スクリーンは装置を制御するため操作者がリモートコントロールを操作して遠隔から操縦できるカーソルを持つことができる。典型的に、リモートコントロールは装置の制御機能に対応した一組のボタンを含む。タッチパッド及びその他の位置感知装置が操作者により大きな制御機能性を与えるためにリモートコントロールに組み込まれている。タッチパッドは、タッチパッドに触れた操作者の指又はスタイラスなどの物体の位置を感知して、装置に位置情報を伝える。これに応答して、カーソルなどの表示スクリーン上の物体がタッチパッドに触れた物体の位置に一致して移動する。
【０００４】
操作者は、聴視者に表示スクリーン上にスライド又はイメージを提供するために装置の表示スクリーンを使用できる。例えば、操作者は、聴視者に見せるために表示スクリーン上にスライド、イメージ等を生成して表示するために、マイクロソフト（商標）社のパワーポイント（商標）グラフイックスプレゼンテーション・プログラムなどのソフトウェアプログラムを使用できる。このグラフイックスプレゼンテーション・プログラムは操作者が異なるスライドを作成してそして聴視者にプレゼンテーションするため装置の表示スクリーン上に各々の個別のスライドを表示できる。典型的に、操作者はプレゼンテーションの際に表示スクリーン上に選ばれたスライドを表示するためリモートコントロールを使用して遠隔で装置を制御できる。プレゼンテーションの際、操作者は表示スクリーン上に表示されているスライドの特定部分に注意を引くようにすることが必要となるであろう。
【０００５】
典型的なグラフイックスプレゼンテーション・プログラムは、操作者が特定部分に注意を引くためにスライドの特定の部分、個所、点、属性等に強調表示テクニックを関連付けることを可能にする。強調表示テクニックは、スライドの特定部分に聴視者の注意を引くための色変化、明滅又は輝度効果、アニメート構造、チェック印、下線等を含む。操作者はプレゼンテーションのためのスライドを準備する時、スライドの特定部分に予め定められた順序で強調表示テクニックを関連付けてスライドを作成するためにグラフイックスプレゼンテーション・プログラムを使用する。そして、操作者がリモートコントロールにより装置を制御してプレゼンテーションの際にスライドの特定部分の強調表示を実行する。問題は、スライドの特定部分の強調表示がスライドのプレゼンテーションに組み込まれると予め定められた順序でプレゼンテーションの際に発生し、そして操作者が強調表示の順序を変更したいと思う、又は、スライドの特定部分をまったく強調表示をしたくないと思うことである。強調表示が予め定められた順序で発生するため、この結果、操作者はプレゼンテーションの際に柔軟性と任意性を失う。
【０００６】
この問題を最小にする１つの手法は、スライドの特定部分に注意を引くためのレーザーポインタなどのある種のポインテイング装置と共にリモートコントロールを構成することである。この手法の問題は、レーザーポインタは上述した強調表示テクニックほどは聴視者の注意を引かないことである。
【０００７】
必要とされるものは、プレゼンテーションの際に装置の表示スクリーン上にスライドが表示されている時、触られたタッチパッド部分に対応する予め選ばれたスライド部分を強調表示するため操作者がタッチパッドの部分を触ることができるようにプレゼンテーションの際に装置の表示スクリーン上に表示されるべきスライドの予め選ばれた部分がタッチパッドにマップされているタッチパッドを有するリモートコントロールである。
【０００８】
発明の開示
従って、本発明の１つの目的は、触られた対応するタッチパッド部分に応答して表示されたスライドの予め選択された部分を強調表示するため、タッチパッドのタッチパッド部分が表示されるスライドの予め選択された部分にマップされたスライドを表示するためのシステム及び方法を提供することである。
【０００９】
本発明の別の目的は、表示スクリーン上に表示されたスライドの予め選択された部分を強調表示するためにパッド対スクリーンマッピングモードで動作可能なタッチパッドを有するリモートコントロールを提供することである。
【００１０】
本発明のさらに別の目的は、リモートコントロール操作者がスライドの予め選択された部分に対応したタッチパッド部分に触ることにより表示スクリーン上に表示されたスライドの予め選択された部分を強調表示できるように、スライドの予め選択された部分にタッチパッドの部分をマッピングできるタッチパッドを持つリモートコントロールを提供することである。
【００１１】
上記目的及び他の目的を実行するため、本発明はスライドを表示するシステムを提供する。システムは、表示スクリーンとタッチパッドを含む。表示スクリーンはスライドを表示することができる。タッチパッドは、スライドの予め選択された部分のそれぞれにマップされたタッチパッド部分を有する。タッチパッドは、スライドの予め選択された部分に対応するタッチパッド部分が触られることに応答してスライドの予め選択された部分を強調表示するように表示スクリーンと共に動作可能である。スライドの予め選択された部分は操作者により予め選択される。
【００１２】
表示スクリーンは、家庭娯楽（ＨＥ）装置、テレビジョン、コンピュータ、スライド投影器、ビデオ映写機、セルラー電話機又はパーソナル・デジタル・アシスタントなどの通信機、又は、カメラ又はパーソナルビデオレコーダなどのビデオ記録機の表示スクリーンであってよい。タッチパッドは表示スクリーンとは遠隔的に動作でき、そしてリモートコントロールのタッチパッドであってよい。
【００１３】
さらに、上記目的及び他の目的を実行するため、本発明はスライドを表示するシステムを提供する。システムは、操作者がスライドの予め選択された部分と強調表示を関係付けることができるようにソフトウェア・プログラムなどの関係付け手段と、スライドを一時に１つ表示することができる表示スクリーンを含む。システムはさらに、タッチパッドの部分を表示スクリーン上に表示されているスライドの予め選択された部分にマッピングするために、装置及び表示スクリーンと共に動作可能なタッチパッドを含む。タッチパッドはさらに、スライドの予め選択された部分に対応するタッチパッド部分が触れることに応答して表示スクリーン上で表示されているスライドの予め選択された部分を強調表示するために表示スクリーンと共に動作可能である。タッチパッドは、表示スクリーン上に表示されているスライドの予め選択された部分を強調表示するために表示スクリーンとは遠隔的に操作できる。
【００１４】
また、上記目的及び他の目的を実行するため、本発明はタッチパッドを持つリモートコントロールを使用してスライドを表示する方法を提供する。方法は、強調表示のためにスライドの部分を予め選択し、そして強調表示をスライドの予め選択された部分と関連付けることを含む。そして、タッチパッド部分がスライドの予め選択された部分にマップされる。そして、スライドが表示スクリーン上に表示される。そして、スライドの予め選択された部分がスライドの予め選択された部分に対応するタッチパッド部分の触られたことに応答して強調表示される。
【００１５】
方法はさらに、強調表示のために少なくとも２つのスライドの部分を予め選択し、強調表示を少なくとも２つのスライドの予め選択された部分と関連付け、タッチパッド部分を少なくとも２つのスライドの予め選択された部分にマップピングし、そして、少なくとも２つのスライドを一時に１つ表示スクリーン上に表示することを含んでも良い。
【００１６】
上記目的及び他の目的を実行するため、本発明はさらにスライドを表示する表示スクリーンを制御するためのリモートコントロールを提供する。リモートコントロールは、位置感知装置の部分を表示スクリーン上に表示されているスライドの予め選択された部分にマップすることができる位置感知装置を含む。位置感知装置はさらに、スライドの予め選択された部分に対応した位置感知装置の部分が触られていることに応答して、表示スクリーン上に表示されているスライドの予め選択されて部分を強調表示をすることができる。位置感知装置はタッチパッドである。
【００１７】
本発明の上記目的及び他の目的、特徴、及び利点は、添付図面を参照した以下の本発明を実施するための最良の形態の説明から容易に明らかとなる。
【発明を実施するための最良の形態】
【００１８】
図１を参照すると、本発明によるスライドプレゼンテーション・システム１０のブロック図が示されている。スライドプレゼンテーション・システム１０は、リモートコントロール１２、制御器１４、及びリモートコントロールにより遠隔制御される装置を含む。リモートコントロール１２により遠隔制御されるこのような装置は、家庭娯楽（ＨＥ）装置又はテレビジョン１６、ＬＣＤ又はデジタル光プロセッサ映像映写機などのスライド投影機１８、ラップトップ又はデスクトップ・コンピュータなどのコンピュータ２０、セルラー電話機又はパーソナルデジタルアシスタントなどの通信装置２２、カメラ又はパーソナルビデオレコーダなどのビデオレコード装置２４、及びその他を含む。装置１６、１８、２０、２２及び２４は各々が、スライド又はイメージを一時に１つ聴視者に見せるために表示するそれぞれの表示スクリーン２６、２８、３０、３２及び３４を含む。
【００１９】
リモートコントロール１２は、タッチパッドなどの位置感知装置３６を含む。リモートコントロール１２は、操作者が指又はスタイラスによりタッチパッドを触ることに応答してタッチパッド信号４０を発生する。タッチパッド信号４０は、タッチパッド３６の触った位置を示す信号である。タッチパッド信号４０はまた、触られた各位置についてタッチパッド３６上の接触圧力及び持続期間を示してもよい。リモートコントロール１２はさらに、少なくとも１つの制御ボタン３８を含む。リモートコントロール１２は操作者が制御ボタン３８を押すことに応答して制御ボタン信号４２を発生する。制御ボタン３８はコンピュータマウスクリック・ボタンとして機能し、操作者により押されるときにコンピュータマウスクリック信号４２を発生してもよい。
【００２０】
本発明は、ＨＥ装置１６の表示スクリーン上に表示されるスライド４６などのスライドを参照してさらに説明される。ＨＥ装置１６の表示スクリーン２６上に表示されているスライド４６に関する本発明の説明は、他の装置１８、２０、２２及び２４のそれぞれの表示スクリーン２８、３０、３２及び３４上に表示される他のスライドに関する本発明の説明を代表する。
【００２１】
動作中、図１に示すように表示スクリーン２６がスライド４６を表示する。タッチパッド３６及び表示スクリーン２６の各々は領域を含む。スライド４６は好ましくは、図１に示される表示スクリーン２６の全体領域上に表示される。好ましくは、タッチパッド３６とスライド４６の領域は長方形である。タッチパッド３６はタッチパッドの領域を表示スクリーン２６及びスライド４６の領域にマップできる。これはタッチパッド３６の各タッチパッド部分がスライド４６のそれぞれの部分に対応することを意味する。例えば、タッチパッド３６の上左側タッチパッド部分はスライド４６の上左側部分に対応する。同様に、タッチパッド３６の中央底タッチパッド部分はスライド４６の中央底部分に対応する。好ましくは、スライド４６はタッチパッド３６の領域よりもずっと大きい領域を持つ。タッチパッド３６のスライド４６へのマッピングは、タッチパッドとスライドの大きさの比の関数としてスケールされる。表示スクリーン２６は、ＨＥ装置１６の表示スクリーン領域の全部又は少なくとも一部である。
【００２２】
制御器１４は、操作者がタッチパッドに触ることに応答して、タッチパッドからのタッチパッド信号４０を受信するためにリモートコントロール１２と共に動作可能である。制御器１４は、タッチパッド３６の対応する領域が触られることに応答してスライド４６の部分を強調表示する。スライド４６の部分を強調表示する代わりに、制御器１４は、色変化、外枠、又は、スライドの選択された部分を識別する他の方法を使用できる。制御器１４はさらに、操作者が制御ボタン３８を押すことに応答して制御ボタン信号４２を受け取るため、リモートコントロール１２と共に動作可能である。制御器１４は制御ボタン信号４２に従いＨＥ装置１６を制御する。セットトップボックス等の制御器１４はＨＥ装置１６に直接的に接続されるか又は遠隔に位置する。リモートコントロール１２は、制御器１４と遠隔的に接続されていて、制御器１４と通信するために赤外線（ＩＲ）又は無線周波数（ＲＦ）信号４０と４２を送信する。リモートコントロール１２と制御器１４は１つのユニットに組み込むことができ、そしてＨＥ装置１６に直接に接続することができる。
【００２３】
スライドプレゼンテーション・システム１０はさらに、操作者が表示スクリーン２６上に表示されるスライド４６などのスライドを生成して、そしてそれらが表示スクリーン上に表示されている時に聴視者の注意をスライドの予め選択された部分に引き付けるため、スライドの予め選択された部分、点、個所、属性等と色変化、明滅又は輝度効果、アニメ構成、チェック印、下線等などの強調テクニックを関連付けることができるスライド生成手段４４を含む。スライド生成手段４４は好ましくは、マイクロソフト（商標）社のパワーポイント（商標）グラフイックスプレゼンテーション・プログラムなどのソフトウェアグラフイックスプレゼンテーション・プログラムを含む。タッチパッド３６は、タッチパッド部分をスライドの対応する予め選択された部分にマップするために、スライド生成手段４４と共に動作可能である。そして、操作者はプレゼンテーションの際、表示スクリーン２６上に表示されているスライド４６などのスライドの対応する予め選択された部分の強調表示を実行するため、タッチパッド３６のタッチパッド部分を触ることができる。
【００２４】
図２を参照して、スライド４６に関するタッチパッド３６のタッチパッド部分のマッピングが以下に詳細に説明される。上述したように、タッチパッド３６はタッチパッドの面積がスライドの面積にマップされるようにスライド４６と共に動作可能である。すなわち、タッチパッド３６の各タッチパッド点又は部分がスライド４６のそれぞれの点又は部分に対応する。タッチパッド３６は幅ｗpと高さｈpにより定義される領域を有する。スライド４６は幅ｗdと高さｈdにより定義される領域を有する。タッチパッド３６の点ｘp、ｙpなどの点は、スライド４６のそれぞれの点ｘd、ｙdに対応する。スライド４６の対応点ｘd、ｙdは、以下の式に従いタッチパッド３６の点ｘp、ｙpに関係付けられる。
【００２５】
ｘd＝ｘp＊（ｗd／ｗp）
ｙd＝ｙp＊（ｈd／ｈp）
【００２６】
すなわち、スライド４６（ｘd）のｘ座標は、スライド（ｗd）とタッチパッド（ｗp）の幅の間の比にタッチパッド３６の対応点（ｘp）のｘ座標を乗算したものに等しい。同様に、スライド４６（ｙd）のｙ座標は、スライド（ｈd）とタッチパッド（ｈp）の高さの間の比にタッチパッド３６の対応点（ｙp）のｙ座標を乗算したものに等しい。この結果、タッチパッド３６の各点はスライド４６上に対応点を有する。
【００２７】
図３を図１及び２と共に参照して、表示スクリーン２６上に表示されたスライド４６の予め選択された部分に関しタッチパッド３６のタッチパッド部分をマッピングすることを以下に詳細に説明する。表示スクリーン２６に聴視者が見るためのスライド４６を表示する。スライド４６は、操作者がスライドを生成する際にスライド生成手段４４を使用して操作者により生成された複数の情報部分４８ａ、４８ｂ、４８ｃ、４８ｄ、４８ｅ及び４８ｆを含む。スライドを生成する時、操作者はスライド４６内のいくつかの情報部分４８をプレゼンテシーョンの際に強調表示するために指定又は予め選択するであろう。そして、操作者はスライド生成手段４４を使用して選ばれた強調表示テクニックを予め選択された情報部分４８と関連付ける。例えば、操作者は強調表示のためにスライド４６の情報部分４８ａ、４８ｅ、４８ｆを予め選択するであろう。これに応答して、スライド生成手段４４は選ばれた強調表示テクニックをスライド４６の予め選択された部分４８ａ、４８ｅ、４８ｆと関連付ける。
【００２８】
スライド４６が表示スクリーン２６上に表示される時、画像４６の予め選択された情報部分４８ａ、４８ｅ、４８ｆに対応させるためにタッチパッド３６はその領域を分割してタッチパッド３６の相対的に置かれたタッチパッド部分５０ａ、５０ｅ、５０ｆにマップする。そして、操作者はそれぞれのタッチパッド部分に対応した画像４６の予め選択された情報部分４８ａ、４８ｅ、４８ｆを強調表示するためにそれぞれのタッチパッド部分５０ａ、５０ｅ、５０ｆを触る。そして、制御器１４は、触られているそれぞれのタッチパッド部分５０ａ、５０ｅ、５０ｆに対応した予め選択された情報部分４８ａ、４８ｅ、４８ｆの強調表示を実行する。例えば、もし、タッチパッド部分５０ａが触られると、スライド４６の予め選択された情報部分４８ａが図４に示すように強調表示される。同様に、もし、タッチパッド部分５０ｆが触られると、スライド４６の予め選択された情報部分４８ｆが図５に示すように強調表示される。
【００２９】
タッチパッドの各点が予め選択された情報部分の１つに対応するように、タッチパッド３６の全領域は表示スクリーン２６上に表示された画像４６の予め選択された情報部分４８ａ、４８ｅ、４８ｆにマップされる。例えば、タッチパッド３６のタッチパッド部分の位置及び画像４６の予め選択された情報部分の位置の関数として、各タッチパッド部分５０ａ、５０ｅ、５０ｆが画像４６のそれぞれの予め選択された情報部分４８ａ、４８ｅ、４８ｆに対応する。例えば、タッチパッド部分５０ａはタッチパッド３６の上側部分にあり、そして画像４６の上側に位置する予め選ばれた情報部分４８ａに対応する。タッチパッド部分５０ｆはタッチパッド３６の右側部分にあり、そして画像４６の右側に位置する予め選ばれた情報部分４８ｆに対応する。動作では、操作者があるタッチパッド部分５０ａ、５０ｅ、５０ｆに入るタッチパッド２８の点を触る。これに応答して、あるタッチパッド部分に対応した画像４６の予め選ばれた情報部分４８ａ、４８ｅ、４８ｆが強調表示される。
【００３０】
図６を参照すると、本発明による方法及びシステムの操作を説明するフローチャート６０が示されている。フローチャート６０は、リモートコントロール１２とタッチパッド３６を使用してスライドを表示する操作を示す。フローチャート６０は、ボックス６２に示すように強調表示のためにスライドの部分を操作者が予め選択することで始まる。そして、操作者はボックス６４に示すように強調表示をスライドの予め選択された部分と関連付ける。そして、タッチパッド３６のタッチパッド部分はボックス６６に示すようにスライドの予め選択された部分にマップされる。そして、スライドがボックス６８に示すように表示スクリーン２６上に表示される。そして、スライドの予め選択された部分がボックス７０に示すようにスライドの予め選択された部分に対応する触られているタッチパッド部分に応答して強調表示される。
【００３１】
本発明による、表示スクリーン上に表示されているスライドの予め選択された部分を強調表示するためにパッド対スクリーンマッピング・モードで動作可能なタッチパッドを持つリモートコントロールが提供され、これは上記した目的、及び利点を完全に満足することが明らかである。本発明がその特定の実施の形態に関して説明されたが、当業者には上述から多くの修正、変形、置換えが明らかである。従って、本発明は全てのそのような代替も含むことを意図している。
【図面の簡単な説明】
【００３２】
【図１】本発明によるスライドプレゼンテーション・システムのブロック図。
【図２】本発明による表示スクリーン上に表示されているスライドに関するタッチパッドのタッチパッド部分のマッピングを示す図。
【図３】本発明による表示スクリーン上に表示されているスライドの予め選択された部分に関するタッチパッドのタッチパッド部分のマッピングを示す図。
【図４】本発明による表示すクリーン上に表示されているスライドの予め選択された情報部分の強調表示を示す図。
【図５】本発明による表示すクリーン上に表示されているスライドの予め選択された情報部分の強調表示を示す図。
【図６】本発明による方法及びシステムの操作を示すフローチャート。
【図１】
2004534300.tif 000003
【図６】
2004534300.tif 000004
【国際公開パンフレット】
2004534300.tif 000005
2004534300.tif 000006
2004534300.tif 000007
2004534300.tif 000008
2004534300.tif 000009
2004534300.tif 000010
2004534300.tif 000011
2004534300.tif 000012
2004534300.tif 000013
2004534300.tif 000014
2004534300.tif 000015
2004534300.tif 000016
2004534300.tif 000017
2004534300.tif 000018
2004534300.tif 000019
2004534300.tif 000020
2004534300.tif 000021
【手続補正書】
【提出日】平成14年11月4日(2002.11.4)
【手続補正１】
【補正対象書類名】特許請求の範囲
【補正対象項目名】全文
【補正方法】変更
【補正の内容】
【特許請求の範囲】
【請求項１】
スライドを表示するためのシステムであって、
操作者が強調表示をスライドの予め選択された部分と関連付けることを可能にする関連付け手段と、
強調表示がスライドの予め選択された部分関連付けられた後にスライドを一時に１つ表示することができる表示スクリーンと、
表示スクリーン上にスライドが表示される前にスライドの予め選択された部分にタッチパッド部分をマップするために関連付け手段及び表示スクリーンと共に動作可能であり、スライドの予め選択された部分に対応するタッチパッド部分が触られることに応答して表示スクリーン上に表示されているスライドの予め選択された部分を強調表示するために表示スクリーンと共にさらに動作可能であるタッチパッドと、を含むシステム。
【請求項２】
表示スクリーンが、家庭娯楽（ＨＥ）装置の表示スクリーンである請求項１に記載のシステム。
【請求項３】
表示スクリーンが、テレビジョンの表示スクリーンである請求項１に記載のシステム。
【請求項４】
表示スクリーンが、コンピュータの表示スクリーンである請求項１に記載のシステム。
【請求項５】
表示スクリーンが、スライド投影機の表示スクリーンである請求項１に記載のシステム。
【請求項６】
表示スクリーンが、ビデオ映写機の表示スクリーンである請求項１に記載のシステム。
【請求項７】
表示スクリーンが、通信装置の表示スクリーンである請求項１に記載のシステム。
【請求項８】
表示スクリーンが、ビデオレコード装置の表示スクリーンである請求項１に記載のシステム。
【請求項９】
タッチパッドが、表示スクリーン上に表示されているスライドの予め選択された部分を強調表示するために表示スクリーンと共に遠隔的に動作可能である請求項１に記載のシステム。
【請求項１０】
タッチパッドが、リモートコントロールのタッチパッドである請求項１に記載のシステム。
【請求項１１】
スライドの予め選択された部分が、操作者により予め選択される請求項１に記載のシステム。
【請求項１２】
タッチパッドを持つリモートコントロールを用いてスライドを表示する方法であって、
表示スクリーン上にスライドを表示する前に強調表示のためにスライドの部分を予め選択し、
表示スクリーン上にスライドを表示する前にスライドの予め選択された部分に強調表示を関連付けし、
表示スクリーン上にスライドを表示する前にタッチパッドを持つリモートコントロールのタッチパッド部分をスライドの予め選択された部分にマッピングし、
表示スクリーン上にスライドを表示し、
スライドの予め定められた部分に対応したタッチパッド部分が触られることに応答して表示スクリーン上に表示されているスライドの予め選択された部分を強調表示する、ことを含む方法。
【請求項１３】
強調表示のためにスライドの部分を予め選択することが、強調表示のために少なくとも２つのスライドの部分を予め選択することを含み、
スライドの予め選択された部分に強調表示を関連付けすることが、少なくとも２つのスライドの予め選択された部分に強調表示を関連付けすることを含み、
タッチパッド部分をスライドの予め選択された部分にマッピングすることが、タッチパッド部分を少なくとも２つのスライドの予め選択された部分にマッピングすることを含み、
表示スクリーン上にスライドを表示することが、表示スクリーン上に少なくとも２つのスライドを一時に１つ表示することを含む請求項１２に記載の方法。
【国際調査報告】
2004534300.tif 000022